(57)【要約】【課題】写真記録媒体の劣化していない部分まで除去してしまう虞がある。【解決手段】第１の画像データを生成する透過光撮像工程（ステップＳ５０）と、第２の画像データを生成する散乱光撮像工程（ステップＳ５１）と、パターンを反転することにより、同じパターンにするパターン反転工程（ステップＳ５２）と、第１の画像データと第２の画像データの階調値の範囲を変更する階調値範囲変更工程（ステップＳ５３）と、同じ画素位置で階調値を加算することにより第３の画像データを生成する階調値加算工程（ステップＳ５４）と、を含む写真記録媒体から原画像を復元する復元方法を提供する。【選択図】図２
2011180486.tif 000002
【特許請求の範囲】
【請求項１】
透明支持部材に乳剤が塗布された写真記録媒体を、第１の光源によって前記透明支持部
材の平面に対して垂直方向に照射し、前記写真記録媒体を透過した透過光を撮像部によっ
て撮像し、第１の画像データを生成する透過光撮像工程と、
第２の光源によって前記透明支持部材の前記平面に対して斜めの方向に照射し、前記写
真記録媒体の前記第２の光源と反対側からの光を遮断し、前記写真記録媒体からの散乱光
を前記撮像部によって撮像し、第２の画像データを生成する散乱光撮像工程と、
画像処理部を用いて、前記第１の画像データと前記第２の画像データのうちの一方のパ
ターンを反転することにより、前記第１の画像データと前記第２の画像データとを同じパ
ターンにするパターン反転工程と、
前記パターン反転工程により同じパターンとなった前記第１の画像データと前記第２の
画像データの階調値の範囲を、前記画像処理部を用いて変更する階調値範囲変更工程と、
前記階調値範囲変更工程により階調値の範囲が変更された、前記第１の画像データと前
記第２の画像データにおいて、前記画像処理部を用いて同じ画素位置で階調値を加算する
ことにより第３の画像データを生成する階調値加算工程と、を含むことを特徴とする写真
記録媒体から原画像を復元する復元方法。
【請求項２】
請求項１に記載の写真記録媒体から原画像を復元する復元方法であって、
前記散乱光撮像工程では、前記第２の光源の姿勢を変えることにより、前記透明支持部
材の前記平面に対する照射光の角度を変えることを特徴とする写真記録媒体から原画像を
復元する復元方法。
【請求項３】
請求項１または請求項２に記載の写真記録媒体から原画像を復元する復元方法であって
、
前記散乱光撮像工程では、前記透明支持部材の前記平面に対する前記照射光の角度が同
じで、前記照射光の向きが反対となる一対の前記第２の光源によって照射することを特徴
とする写真記録媒体から原画像を復元する復元方法。
【請求項４】
請求項１から請求項３のいずれか一項に記載の写真記録媒体から原画像を復元する復元
方法であって、
前記写真記録媒体は、写真乾板であることを特徴とする写真記録媒体から原画像を復元
する復元方法。
【発明の詳細な説明】
【技術分野】
【０００１】
本発明は、写真記録媒体から原画像を復元する復元方法に関するものである。
【背景技術】
【０００２】
長期に保存された写真乾板や写真フィルムなどの写真記録媒体は、経年変化により、写
真記録媒体に塗布された乳剤の表面側に銀が拡散してしまう。そのため、銀塩写真を作成
する方法や、スキャナーを用いて画像を読み取る方法により、このような写真記録媒体か
ら撮影当時の原画像を復元しようとすると、不要な線や模様が形成されたり、輪郭がぼけ
たりするため、撮影当時の原画像を復元することができない。
【０００３】
そこで、例えば特許文献１では、長期保存されていた写真乾板や写真フィルムの銀が劣
化した表面を、擦り取ったり、溶液を用いて除去したりする方法が提案されている。
【先行技術文献】
【特許文献】
【０００４】
【特許文献１】特許第３４４６１７４号公報
【発明の概要】
【発明が解決しようとする課題】
【０００５】
しかしながら、特許文献１の方法では、表面を擦り取るときの圧力の度合いが大きすぎ
たり、溶液が指定された濃度でなかったり、指定した手順で実施されなかったりした場合
には、写真記録媒体の劣化していない部分まで除去してしまう虞がある。そのような場合
には、原画像の復元が不可能となってしまうという課題がある。
【課題を解決するための手段】
【０００６】
本発明は、上述の課題の少なくとも一部を解決するためになされたものであり、以下の
形態または適用例として実現することが可能である。
【０００７】
［適用例１］透明支持部材に乳剤が塗布された写真記録媒体を、第１の光源によって前
記透明支持部材の平面に対して垂直方向に照射し、前記写真記録媒体を透過した透過光を
撮像部によって撮像し、第１の画像データを生成する透過光撮像工程と、第２の光源によ
って前記透明支持部材の前記平面に対して斜めの方向に照射し、前記写真記録媒体の前記
第２の光源と反対側からの光を遮断し、前記写真記録媒体からの散乱光を前記撮像部によ
って撮像し、第２の画像データを生成する散乱光撮像工程と、画像処理部を用いて、前記
第１の画像データと前記第２の画像データのうちの一方のパターンを反転することにより
、前記第１の画像データと前記第２の画像データとを同じパターンにするパターン反転工
程と、前記パターン反転工程により同じパターンとなった前記第１の画像データと前記第
２の画像データの階調値の範囲を、前記画像処理部を用いて変更する階調値範囲変更工程
と、前記階調値範囲変更工程により階調値の範囲が変更された、前記第１の画像データと
前記第２の画像データにおいて、前記画像処理部を用いて同じ画素位置で階調値を加算す
ることにより第３の画像データを生成する階調値加算工程と、を含むことを特徴とする写
真記録媒体から原画像を復元する復元方法。
【０００８】
この構成によれば、第２の光源によって透明支持部材の平面に対して斜めの方向に照射
し、写真記録媒体の第２の光源と反対側からの光を遮断し、写真記録媒体からの散乱光を
撮像部によって撮像し、第２の画像データを生成する散乱光撮像工程を含む。これにより
、乳剤における透明支持部材側となる深部に撮影当時に形成された銀の析出部分において
散乱光が生じる。そのため、撮像部によってその散乱光を撮像することにより、乳剤にお
ける透明支持部材側となる深部に撮影当時形成された銀の析出状態を第２の画像データと
して取得することができる。
また、階調値範囲変更工程により階調値の範囲が変更された、第１の画像データと第２
の画像データにおいて、画像処理部を用いて同じ画素位置で階調値を加算することにより
第３の画像データを生成する階調値加算工程を含む。これにより、第３の画像データには
、乳剤における透明支持部材側となる深部に撮影当時形成された銀の析出状態が撮像され
た第２の画像データが含まれる。そのため、第３の画像データを用いて、画像印刷装置に
印刷したり、画像表示装置に表示したりすれば、不要な線や模様が形成されたり輪郭がぼ
けたりすることが抑制され、撮影当時の画像品質に近い原画像を得ることが可能となる。
【０００９】
［適用例２］前記散乱光撮像工程では、前記第２の光源の姿勢を変えることにより、前
記透明支持部材の前記平面に対する前記照射光の角度を変えることを特徴とする写真記録
媒体から原画像を復元する上記復元方法。
【００１０】
この構成によれば、透明支持部材の平面に対する照射光の角度が変わる。これにより、
撮像部に撮像された画像におけるコントラストが高い画像を取得することができる。
【００１１】
［適用例３］前記散乱光撮像工程では、前記透明支持部材の前記平面に対する前記照射
光の角度が同じで、前記照射光の向きが反対となる一対の前記第２の光源によって照射す
ることを特徴とする写真記録媒体から原画像を復元する上記復元方法。
【００１２】
この構成によれば、写真記録媒体に入射する光量を増加することができる。また、入射
光量の平均化をさらに図る事ができる。これにより、コントラストの高い画像を得る事が
可能となる。また、一方の光源からの照射による影も出来にくくなる。
【００１３】
［適用例４］前記写真記録媒体は、写真乾板であることを特徴とする写真記録媒体から
原画像を復元する上記復元方法。
これにより、写真乾板を用いて撮影した当時の原画像の画像品質に近い原画像を復元す
ることができる。
【図面の簡単な説明】
【００１４】
【図１】第１実施形態における画像復元装置を構成する主要構成要素を示した図。
【図２】写真乾板から原画像を復元する工程のフローチャート。
【図３】透過光撮像工程を説明するための模式図。
【図４】（ａ）は、透過光撮像工程における写真記録媒体の一部断面の模式図、（ｂ）は、一部断面の位置と対応する画素位置における階調値を説明するためのグラフ、（ｃ）は、パターンを反転させた階調値のグラフ。
【図５】散乱光撮像工程を説明するための模式図。
【図６】（ａ）は、散乱光撮像工程における写真記録媒体の一部断面の模式図、（ｂ）は、一部断面における階調値を説明するためのグラフ。
【図７】（ａ）、（ｂ）は、階調値の範囲を変更したグラフ、（ｃ）は、階調値を加算することにより描かれたグラフ。
【図８】第２実施形態における画像復元装置を構成する主要構成要素を示した図。
【図９】第３実施形態における画像復元装置を構成する主要構成要素を示した図。
【発明を実施するための形態】
【００１５】
（第１実施形態）
以下、第１実施形態について図面を参照しつつ説明する。図１は、第１実施形態におけ
る画像復元装置１を構成する主要構成要素を示した図である。画像復元装置１は、透明な
ガラスやプラスティックなどの支持台１３を備え、支持台１３には、透明支持部材である
透明なガラス板２２と、ガラス板２２に塗布された乳剤２１とから構成される写真記録媒
体としての写真乾板２０が置かれる。
【００１６】
第１の光源１１が、支持台１３の写真乾板２０と反対側に備えられる。第１の光源１１
は、ガラス板２２の平面２３に対して垂直方向から照射光Ｌ１を照射する。
【００１７】
黒い材質からなる遮光部１２は、矢印Ｄ１の方向に移動することができる。遮光部１２
が、支持台１３の写真乾板２０と反対側の面を覆う図１に示す位置にあるとき、第１の光
源１１からの照射光Ｌ１を遮断する。遮光部１２が、二点鎖線Ｂに示す位置にあるとき、
第１の光源１１からの照射光Ｌ１は、支持台１３を通る透過光となって、写真乾板２０を
照射する。
【００１８】
第２の光源１０が、支持台１３の写真乾板２０側に備えられる。第２の光源１０は、写
真乾板２０のガラス板２２の平面２３に対して、斜めの方向から照射光Ｌ２を照射する。
第２の光源１０は、姿勢を回転方向Ｄ２に変えることができる。これにより、ガラス板２
２の平面２３に対する照射光Ｌ２の角度Ａが変わる。
【００１９】
支持台１３の第１の光源１１と反対側には、撮像部としてのデジタルカメラ２が備えら
れる。デジタルカメラ２には、ＣＣＤなどのイメージセンサーが備えられ、写真乾板２０
における乳剤２１側の画像を撮像し、画像データを生成する。
【００２０】
画像復元装置１は、制御装置４、液晶パネルからなる画像表示装置７、使用者が操作す
るための入力機器となるキーボード５とマウス６を備える。制御装置４には、ＣＰＵ（不
図示）、ＲＡＭ（不図示）、ＲＯＭ（不図示）などから構成される制御部や、ＨＤＤ（不
図示）を備える。
【００２１】
使用者によるキーボード５やマウス６の操作により、デジタルカメラ２に生成された画
像データは、通信ケーブル３を介して制御装置４のＨＤＤに転送される。
【００２２】
ＨＤＤには、オペレーティングシステムと、画像編集用アプリケーションソフトウェア
として、例えば、ＰＨＯＴＯＳＨＯＰ（登録商標）が格納されている。
【００２３】
本実施形態における画像処理部（不図示）は、制御装置４に備えられた制御部や、オペ
レーティングシステムと、画像編集用アプリケーションソフトウェアを含んで構成される
。画像処理部は、ＣＰＵがＨＤＤからオペレーティングシステムと、画像編集用アプリケ
ーションソフトウェアをＲＡＭに読み出して実行することにより機能する。
【００２４】
画像復元装置１は、通信ケーブル８を介して制御装置４に接続され、液体噴射ヘッド（
不図示）からインクを噴射して紙などの印刷記録媒体Ｐに画像を形成するインクジェット
式プリンターである画像出力部としての画像印刷装置９が備えられる。画像印刷装置９は
、感光体（不図示）にレーザーを照射して画像を形成するレーザー式プリンターであって
もよい。
【００２５】
画像復元装置１によって復元された原画像は、画像出力部としての画像表示装置７に表
示される。また、画像復元装置１によって復元された原画像は、画像印刷装置９によって
印刷記録媒体Ｐに印刷される。
【００２６】
次に、写真乾板２０から原画像を復元する方法について説明する。図２は、写真乾板２
０から原画像を復元する工程のフローチャートである。図３は、透過光撮像工程を説明す
るための模式図である。
【００２７】
図２のステップＳ５０の透過光撮像工程では、図３の第１の光源１１を点灯し、ガラス
板２２の平面２３に対して垂直方向に照射光Ｌ１を照射する。遮光部１２は、図３の位置
にあるので、照射光Ｌ１は、支持台１３、写真乾板２０を透過する。このとき、第２の光
源１０は消灯しておく。
【００２８】
透過光撮像工程では、デジタルカメラ２は、支持台１３と写真乾板２０を透過した照射
光Ｌ１によって形成される画像を撮像し、第１の画像データを生成する。
【００２９】
図４（ａ）は、ステップＳ５０の透過光撮像工程における写真乾板２０の一部断面の模
式図である。濃く網がけした部分（矢印で示した範囲Ｒ１）は、撮影当時の現像処理、定
着処理によって、銀が析出した領域３０を示す。薄く網がけした部分（矢印で示した範囲
Ｒ２）は、経年変化により、銀が析出した領域３０から銀が拡散した領域３１を示す。
【００３０】
撮影当時に銀が析出した領域３０は、乳剤２１におけるガラス板２２側の深部から表面
に至る。これに対して、経年変化によって銀が拡散した領域３１は、深部には形成されず
に表面側のみに形成されている。
【００３１】
図３の第１の光源１１からの図４（ａ）の照射光Ｌ１は、ガラス板２２を透過する。撮
影当時に銀が析出した領域３０と、経年変化によって銀が拡散した領域３１とに照射する
照射光Ｌ１０は、乳剤２１を透過しない。一方、撮影当時に銀が析出した領域３０と、経
年変化によって銀が拡散した領域３１とが形成されていない範囲に照射する照射光Ｌ１１
は、乳剤２１を透過する。
【００３２】
図４（ｂ）は、ステップＳ５０の透過光撮像工程でデジタルカメラ２によって撮像され
た第１の画像データにおいて、図４（ａ）の一部断面における階調値を説明するためのグ
ラフである。縦軸は、階調値を示し、横軸は、図４（ａ）の一部断面の位置と対応する画
素位置を示す。本実施形態では、階調値の範囲は、例えば０から２５５の値とする。
【００３３】
図４（ａ）の範囲Ｒ１，Ｒ２においては、照射光Ｌ１０が乳剤２１を透過しないため、
階調値が０となる。範囲Ｒ１，Ｒ２以外の範囲においては、照射光Ｌ１１が乳剤２１を透
過するため、階調値が２５５となる。従って、ステップＳ５０の透過光撮像工程では、デ
ジタルカメラ２によって生成された第１の画像データは、ネガパターンである。
【００３４】
図５は、図２のステップＳ５１の散乱光撮像工程を説明するための模式図である。散乱
光撮像工程では、第１の光源１１は消灯し、遮光部１２は、図５に示す位置にある。これ
により、写真乾板２０に対して支持台１３側からの光を遮断することができる。
【００３５】
散乱光撮像工程では、第２の光源１０は点灯し、写真乾板２０の乳剤２１側におけるガ
ラス板２２の平面２３に対して斜めの方向から照射光Ｌ２を照射する。図１、図５の第２
の光源１０の姿勢を回転方向Ｄ２に変えることができる。シャッター（不図示）を操作す
る前に、デジタルカメラ２の姿勢を調整しているとき、デジタルカメラ２の撮像視野にお
ける画像が画像表示装置７に表示される。画像表示装置７に表示された画像において、コ
ントラストが高くなるときの姿勢でデジタルカメラ２を固定し、シャッターを使用者が操
作して第２の画像データを撮像する。
【００３６】
図６（ａ）は、ステップＳ５１の散乱光撮像工程における写真乾板２０の一部断面の模
式図である。撮影当時に銀が析出した領域３０と、経年変化によって銀が拡散した領域３
１に照射光Ｌ２が照射すると、散乱光Ｌ１２が発生する。上述したように、撮影当時に銀
が析出した領域３０は、乳剤２１の深部から表面に至る領域に形成されているため、平面
のみ銀が拡散した領域３１より、散乱光Ｌ１２が多く発生する。
【００３７】
また、撮影当時に銀が析出した領域３０における銀の濃度は、経年変化によって銀が拡
散した領域３１における銀の濃度より高い。そのため、領域３１で発生する散乱光より、
領域３０で発生する散乱光の方が多い。従って、図１のデジタルカメラ２側に向かう範囲
Ｒ１における散乱光Ｌ１３は、デジタルカメラ２側に向かう範囲Ｒ２における散乱光Ｌ１
４より強い。
【００３８】
図６（ｂ）は、ステップＳ５１の散乱光撮像工程でデジタルカメラ２によって撮像され
た第２の画像データにおいて、図６（ａ）の一部断面における階調値を説明するためのグ
ラフである。図４（ｂ）と同様に、縦軸は、階調値を示し、横軸は、図６（ａ）の一部断
面の位置と対応する画素位置を示す。
【００３９】
図６（ｂ）に示すように、範囲Ｒ１，Ｒ２以外の範囲は、遮光部１２によってガラス板
２２側からの光が遮断されているため、階調値が０となる。範囲Ｒ２においては、階調値
は０から２５５の値となる。撮影当時に感光して銀が析出した領域３０では、階調値が２
５５となる。従って、散乱光撮像工程では、デジタルカメラ２によって生成された第２の
画像データは、ポジパターンである。
【００４０】
図４（ｃ）は、第１の画像データをネガパターンからポジパターンにパターンを反転さ
せた階調値のグラフである。図４（ｃ）は、図４（ｂ）の階調値のグラフを、図面上下方
向に反転させたグラフである。図２のステップＳ５２のパターン反転工程では、使用者は
、画像編集用アプリケーションソフトウェアを用いて、ステップＳ５０の透過光撮像工程
で生成された第１の画像データにおける階調値を変更してネガパターンからポジパターン
に反転させる（図４（ｂ）、図４（ｃ）参照）。
【００４１】
図２のステップＳ５３の階調値範囲変更工程では、使用者は、画像編集用アプリケーシ
ョンソフトウェアを用いて、図４（ｃ）に示すポジパターンの第１の画像データと、図６
（ｂ）に示すポジパターンの第２の画像データの階調値の範囲を変更する。
【００４２】
図７（ａ）は、図４（ｃ）の第１の画像データの階調値のグラフから階調値の範囲を変
更したグラフである。階調値範囲変更工程では、図４（ｃ）の階調値が０から２５５まで
の範囲にあるポジパターンの第１の画像データを、図７（ａ）の階調値が０からＫ１まで
の範囲にあるポジパターンの第１の画像データに変更する。
【００４３】
図７（ｂ）は、図６（ｂ）の第２の画像データの階調値のグラフから階調値の範囲を変
更したグラフである。階調値範囲変更工程では、図６（ｂ）の階調値が０から２５５まで
の範囲にあるポジパターンの第２の画像データを、図７（ｂ）の階調値が０からＫ２まで
の範囲にあるポジパターンの第２の画像データに変更する。
【００４４】
図７（ｃ）は、図７（ａ）の階調値のグラフと図７（ｂ）の階調値のグラフにおいて、
同じ画素位置での階調値を加算することにより描かれたグラフである。図２のステップＳ
５４の階調値加算工程では、使用者は、ステップＳ５３の階調値範囲変更工程で階調値の
範囲を変更した、第１の画像データと第２の画像データにおける階調値を、同じ画素位置
で加算することによりポジパターンの第３の画像データを生成する。
【００４５】
本実施形態では、Ｋ１とＫ２との和は２５５である。従って、第３の画像データの階調
値の範囲は０から２５５となる。本実施形態では、Ｋ１とＫ２との和を２５５と置いたが
、写真乾板２０の状態により、Ｋ１及びＫ２の値を調整することができる。また、Ｋ１及
びＫ２の値を調整することにより、汚染された不要な画像を抑制することが可能である。
【００４６】
図２のステップＳ５５の画像出力工程では、図１の制御装置４は、画像印刷装置９によ
って、第３の画像データを用いて、印刷記録媒体Ｐに原画像を印刷する。また、制御装置
４は、第３の画像データを用いて、画像表示装置７に原画像を表示する。
【００４７】
以上、本実施形態で説明した、写真記録媒体としての写真乾板２０から原画像を復元す
る復元方法では、透明支持部材としてのガラス板２２に乳剤２１が塗布された写真記録媒
体としての写真乾板２０を、第１の光源１１によってガラス板２２の平面２３に対して垂
直方向に照射し、写真乾板２０を透過した透過光を撮像部であるデジタルカメラ２によっ
て撮像し、ネガパターンである第１の画像データを生成する透過光撮像工程（ステップＳ
５０）と、第２の光源１０によってガラス板２２の平面２３に対して斜めの方向に照射し
、写真乾板２０の第２の光源１０と反対側からの光を遮断し、写真乾板２０からの散乱光
をデジタルカメラ２によって撮像し、ポジパターンである第２の画像データを生成する散
乱光撮像工程（ステップＳ５１）と、画像編集用アプリケーションソフトウェアを含む画
像処理部を用いて、第１の画像データと第２の画像データのうちの一方である第１の画像
データを、ネガパターンからポジパターンにパターンを反転することにより、第１の画像
データと第２の画像データとを同じポジパターンにするパターン反転工程（ステップＳ５
２）と、パターン反転工程により同じポジパターンとなった第１の画像データと第２の画
像データの階調値の範囲を、画像処理部を用いて変更する階調値範囲変更工程（ステップ
Ｓ５３）と、階調値範囲変更工程により階調値の範囲が変更された、第１の画像データと
第２の画像データにおいて、画像処理部を用いて同じ画素位置で階調値を加算することに
よりポジパターンである第３の画像データを生成する階調値加算工程（ステップＳ５４）
と、を含む。
【００４８】
この構成によれば、乳剤２１におけるガラス板２２側となる深部に撮影当時に形成され
た銀の析出部分において散乱光が生じる。そのため、デジタルカメラ２によってその散乱
光を撮像することにより、乳剤２１におけるガラス板２２側となる深部に撮影当時形成さ
れた銀の析出状態を第２の画像データとして取得することができる。
【００４９】
また、第３の画像データには、乳剤２１におけるガラス板２２側となる深部に撮影当時
形成された銀の析出状態が撮像された第２の画像データが含まれる。そのため、第３の画
像データを用いて、画像印刷装置９に印刷したり、画像表示装置７に表示したりすれば、
不要な線や模様が形成されたり輪郭がぼけたりすることが抑制され、撮影当時の画像品質
に近い原画像を得ることが可能となる。
【００５０】
また、本実施形態における写真乾板２０から原画像を復元する復元方法によれば、写真
乾板２０の乳剤２１と直接、触れることがない。そのため、写真乾板２０の乳剤２１を損
傷させることを抑制できる。
【００５１】
また、散乱光撮像工程では、第２の光源１０の回転方向Ｄ２における姿勢を変えること
により、ガラス板２２の平面２３に対する照射光Ｌ２の角度Ａを変える。
【００５２】
これにより、デジタルカメラ２に撮像される画像において、撮影当時に感光して銀が析
出した領域３０と、領域３０以外の領域とのコントラストが高い画像を取得することがで
きる。
【００５３】
（第２実施形態）
第２実施形態では、一対の第２の光源を備えた、写真乾板２０から原画像を復元する復
元装置について説明する。図８は、第２実施形態における画像復元装置１ａを構成する主
要構成要素を示した図である。
【００５４】
画像復元装置１ａは、図１の画像復元装置１の支持台１３の写真乾板２０側に、さらに
第２の光源１４を備える。第１実施形態と同様に、第２の光源１４の姿勢を回転方向Ｄ６
に変えることができる。第２の光源１４以外の構成は、第１実施形態で説明した画像復元
装置１の構成と同じである。
【００５５】
第２の光源１４は、ガラス板２２の平面２３に対する照射光Ｌ３の角度Ａが、第２の光
源１０によってガラス板２２の平面２３に対する照射光Ｌ２の角度Ａと同じである。第２
の光源１４からの照射光Ｌ３の向きが、第２の光源１０からの照射光Ｌ２の向きと反対に
なる位置に、第２の光源１０と第２の光源１４とが備えられる。
【００５６】
第２実施形態における散乱光撮像工程では、ガラス板２２の平面２３に対する照射光の
角度Ａが同じで、照射光Ｌ２と照射光Ｌ３の向きが反対となる一対の第２の光源１０，１
４によって照射する。
【００５７】
この構成によれば、写真乾板２０に入射する光量を増加することができる。また、入射
光量の平均化をさらに図る事ができる。これにより、コントラストの高い画像を得る事が
可能となる。また、一方の光源からの照射による影も出来にくくなる。
【００５８】
本実施形態では、ガラス板２２の平面２３に対する照射光の角度Ａが同じで、照射光Ｌ
２と照射光Ｌ３の向きが反対となる一対の第２の光源１０，１４を一組備えた画像復元装
置１ａを用いて説明したが、一対の第２の光源１０，１４を複数組備えた画像復元装置を
用いて、写真乾板２０から原画像を復元する方法でもよい。
【００５９】
このようにすることにより、写真乾板２０に入射する光量をさらに増加することができ
る。また、入射光量の平均化をさらに図る事ができる。これにより、よりコントラストの
高い画像を得る事が可能となる。また、一方の光源からの照射による影もさらに出来にく
くなる。
【００６０】
（第３実施形態）
第１実施形態、第２実施形態では、写真乾板２０における乳剤２１側からデジタルカメ
ラ２によって撮像したが、第３実施形態では、写真乾板２０におけるガラス板２２側から
デジタルカメラ２によって撮像する。
【００６１】
図９は、第３実施形態における画像復元装置を構成する主要構成要素を示した図である
。図９に示すように、写真乾板２０の乳剤２１は透明な支持台１３に接し、ガラス板２２
はデジタルカメラ２側に向くようにして置かれる。その他の構成は、図１の第１実施形態
における画像復元装置を構成する主要構成要素と同じである。
【００６２】
第３実施形態における写真乾板２０から原画像を復元する方法は、第１実施形態の図２
のフローチャートを用いて説明した工程と同じである。
【００６３】
第１実施形態から第３実施形態では、パターン反転工程では、ネガパターンである第１
の画像データをポジパターンに反転させたが、パターン反転工程において、ポジパターン
である第２の画像データをネガパターンに反転させ、階調値範囲変更工程、階調値加算工
程では、パターンが同じネガパターンの第１の画像データと第２の画像データを用いて、
ネガパターンである第３の画像データを生成する方法でもよい。
【００６４】
また、第１実施形態から第３実施形態では、撮像部としてのデジタルカメラ２を備えた
画像復元装置１，１ａについて説明したが、撮像部としてのスキャナーを備えた画像復元
装置を用いてもよい。
【符号の説明】
【００６５】
２…デジタルカメラ、１０，１４…第２の光源、１１…第１の光源、１２…遮光部、２
０…写真乾板、２１…乳剤、２２…ガラス板、２３…平面、Ａ…角度、Ｋ１，Ｋ２…階調
値、Ｌ１，Ｌ２，Ｌ３，Ｌ１０，Ｌ１１…照射光、Ｌ１２，Ｌ１３，Ｌ１４…散乱光。
【図１】
2011180486.tif 000003
【図２】
2011180486.tif 000004
【図３】
2011180486.tif 000005
【図４】
2011180486.tif 000006
【図５】
2011180486.tif 000007
【図６】
2011180486.tif 000008
【図７】
2011180486.tif 000009
【図８】
2011180486.tif 000010
【図９】
2011180486.tif 000011